(57)【要約】【課題】機器本体を別の部屋に移動する場合にリモコン装置を紛失する虞のない電子機器を提供する。【解決手段】本発明に係るリモコン機能付き電子機器は、外部電源２から電力の供給を受けて動作する本体１と、該本体１に対してリモコン信号を送信するリモコン装置９とから構成され、本体１は、リモコン装置９へロケータ信号を送信するロケータ送信部１４を具える一方、リモコン装置９は、本体１から送られてくるロケータ信号を受信するロケータ受信部９４と、ロケータ信号の受信に応じて動作する音声発生部９７とを具えている。又、本体１は、外部電源２からの電力の供給が中断されたときに電力供給を行なうべきバッテリー１２と、外部電源２からバッテリー１２への切替を検知する電源切替検知手段１３と、電源切替が検知されたときにロケータ送信部１４にロケータ信号の送信を指令する制御部１１とを具えている。【選択図】図１
2008301403.tif 000002
【特許請求の範囲】
【請求項１】
外部電源から電力の供給を受けて動作する機器本体と、該機器本体に対してリモートコントロール信号を送信するリモートコントロール装置とから構成され、機器本体は、リモートコントロール装置へロケータ信号を送信するロケータ送信手段を具える一方、リモートコントロール装置は、機器本体から送られてくるロケータ信号を受信するロケータ受信手段と、該ロケータ受信手段によるロケータ信号の受信に応じて動作する報知手段とを具えている電子機器において、
前記機器本体は、外部電源からの電力の供給が中断されたときに電力供給を行なうべき内部電源と、外部電源から内部電源への切替を検知する電源切替検知手段と、該電源切替検知手段により電源の切替が検知されたときにロケータ送信手段へロケータ信号の送信を指令する制御手段とを具えていることを特徴とするリモートコントロール機能付き電子機器。
【請求項２】
前記報知手段による報知は、音声の発生、振動の発生、若しくは光の発生、或いはこれらの組合せによって行なわれる請求項１に記載のリモートコントロール機能付き電子機器。
【発明の詳細な説明】
【技術分野】
【０００１】
本発明は、テレビジョン受像機、カーナビゲーション装置、オーディプレーヤ等の電子機器に関し、特にリモートコントロール装置を具えて遠隔制御の可能な電子機器に関するものである。
【背景技術】
【０００２】
従来、リモートコントロール装置を紛失した場合に該リモートコントロール装置を探索することが可能なリモートコントロール(以下、リモコンという)機能付きの電子機器が提案されている(特許文献１〜５)。
この様な電子機器においては、ユーザが機器本体を操作することにより、リモコン装置を探索するためのリモコン探索信号(ロケータ信号)が機器本体から発せられ、該ロケータ信号をリモコン装置が受信すると、該リモコン装置が音声を発することでその位置を報知する。
【０００３】
例えば図３に示すテレビジョン受像機は、テレビジョン受像機本体(８)とリモコン装置(９)から構成されており、テレビジョン受像機本体(８)には、リモコン受信アンテナ(85)とロケータ送信アンテナ(84)が配備される一方、リモコン装置(９)には、リモコン送信アンテナ(96)とロケータ受信アンテナ(93)が配備されている。
【０００４】
テレビジョン受像機本体(８)は、マイクロコンピュータから構成される制御部(81)と、リモコン受信アンテナ(85)を通じてリモコン信号を受信するリモコン受信部(86)と、ロケータ送信アンテナ(84)へロケータ信号を送信するロケータ送信部(83)と、リモコン装置(９)を探索するときに操作すべきロケータ起動スイッチ(82)とを具え、制御部(81)は、ロケータ起動スイッチ(82)の操作信号を受けて、ロケータ送信部(83)に対してロケータ信号の送信を指令する。
【０００５】
リモコン装置(９)は、マイクロコンピュータから構成される制御部(91)と、リモコン送信アンテナ(96)へリモコン信号を送信するリモコン送信部(95)と、ロケータ受信アンテナ(93)を通じてロケータ信号を受信するロケータ受信部(94)と、選局操作等を行なうためのリモコン操作キー(92)と、所定の音声を発する音声発生部(97)とを具え、ロケータ受信部(94)によってロケータ信号が受信されると、制御部(91)は音声発生部(97)に音声の発生を指令する。
【０００６】
図４は、上記テレビジョン受像機における制御動作を表わしている。
テレビジョン受像機本体側においては、先ずステップＳ１にてスイッチ入力を監視し、ステップＳ２ではスイッチ入力があったか否かを判断する。ここでノーと判断されたときはステップＳ１に戻ってスイッチ入力の監視を繰り返す。
【０００７】
ステップＳ２にてイエスと判断されたときは、ステップＳ３に移行して、入力のあったスイッチがロケータ起動スイッチであるか否かを判断する。
ここでノーと判断されたときはステップＳ５に移行して、スイッチ入力に応じた処理を実行し、ステップＳ１に戻ってスイッチ入力の監視を繰り返す。
これに対し、イエスと判断されたときはステップＳ４に移行して、ロケータ送信部に対してロケータ信号の送信を指示した後、ステップＳ１に戻る。
【０００８】
一方、リモコン装置側においては、先ずステップＳ１１にて所定の時間待機した後、ステップＳ１２にてリモコン制御部を起動し、ステップＳ１３では、ロケータ信号の受信を監視する。
続いてステップＳ１４ではロケータ信号を受信したか否かを判断し、ノーと判断されたときはステップＳ１１に戻って同じ処理を繰り返す。
【０００９】
これに対し、テレビジョン受像機本体からリモコン装置へロケータ信号が送信されて、ステップＳ１４にてイエスと判断されたときは、ステップＳ１５に移行して音声発生部に動作を指示する。
次に、ステップＳ１６で音声終了まで待機した後、ステップＳ１１へ戻る。
【００１０】
上記テレビジョン受像機においては、リモコン装置(９)を紛失したとき、ユーザがロケータ起動スイッチ(82)を操作すれば、テレビジョン受像機本体(８)からリモコン装置(９)へロケータ信号が送信されて、該ロケータ信号を受信したリモコン装置(９)の音声発生部(97)が動作することにより、リモコン装置(９)の位置がユーザに報知される。
【００１１】
【特許文献１】特開平６−１６５２６７号公報［H04Q9/00］
【特許文献２】実開平６−５２２９３号公報［H04Q9/00］
【特許文献３】特開２００１−６９５７９号公報［H04Q9/00］
【特許文献４】特開２００２−３２０２７９号公報［H04Q9/00］
【特許文献５】特開２００４−３２８５８９号公報［H04Q9/00］
【発明の開示】
【発明が解決しようとする課題】
【００１２】
しかしながら、リモコン装置の探索が可能な従来の電子機器においては、機器本体、例えばテレビジョン受像機本体を別の部屋に移動する場合、テレビジョン受像機本体のみを移動して、リモコン装置を移動させることを失念しがちである。この場合、テレビジョン受像機本体を設置した部屋から発せられるロケータ信号は、リモコン装置が存在する元の部屋には到達しないため、リモコン装置を探索することが困難な状況に陥る問題がある。
【００１３】
そこで本発明の目的は、転居等により機器本体を別の部屋に移動する場合にリモコン装置を紛失する虞のない電子機器を提供することである。
【課題を解決するための手段】
【００１４】
本発明に係るリモコン機能付き電子機器は、外部電源から電力の供給を受けて動作する機器本体と、該機器本体に対してリモコン信号を送信するリモコン装置とから構成され、機器本体は、リモコン装置へロケータ信号を送信するロケータ送信手段を具える一方、リモートコントロール装置は、機器本体から送られてくるロケータ信号を受信するロケータ受信手段と、該ロケータ受信手段によるロケータ信号の受信に応じて動作する報知手段とを具えている。
又、前記機器本体は、外部電源からの電力の供給が中断されたときに電力供給を行なうべき内部電源と、外部電源から内部電源への切替を検知する電源切替検知手段と、該電源切替検知手段により電源の切替が検知されたときにロケータ送信手段へロケータ信号の送信を指令する制御手段とを具えている。
【００１５】
上記本発明のリモコン機能付き電子機器によれば、機器本体を別の部屋に移動させる場合、外部電源から電力の供給を受けるための電源プラグを電源コンセントから抜き出すことになる。これに伴って、外部電源から内部電源への切替が自動的に行なわれ、この事態が電源切替検知手段によって検知され、その結果、制御手段がロケータ送信手段にロケータ信号の送信を指令する。
これによって報知手段が動作し、音声の発生、振動の発生、若しくは光の発生、或いはこれらの組合せによって、リモコン装置の位置がユーザに報知される。
【発明の効果】
【００１６】
本発明に係るリモコン機能付き電子機器によれば、機器本体を別の部屋に移動させる場合、電源の切替によって自動的に報知が行なわれるので、ユーザはその報知によってリモコン装置の存在及び位置を知ることが出来、リモコン装置を紛失する虞はない。
【発明を実施するための最良の形態】
【００１７】
以下、本発明をテレビジョン受像機に実施した形態につき、図面に沿って具体的に説明する。
本発明に係るテレビジョン受像機は、図１に示す如くテレビジョン受像機本体(１)とリモコン装置(９)から構成され、テレビジョン受像機本体(１)には、赤外線のリモコン信号を受信するリモコン受信アンテナ(16)と、電波のロケータ信号を送信するロケータ送信アンテナ(15)が配備される一方、リモコン装置(９)には、赤外線のリモコン信号を送信するリモコン送信アンテナ(96)と、電波のロケータ信号を受信するロケータ受信アンテナ(93)とが配備されている。
【００１８】
テレビジョン受像機本体(１)は、マイクロコンピュータから構成される制御部(11)と、リモコン受信アンテナ(16)を通じてリモコン信号を受信するリモコン受信部(17)と、ロケータ送信アンテナ(15)へロケータ信号を送信するロケータ送信部(14)と、リモコン装置(９)を探索するときに操作すべきロケータ起動スイッチ(18)と、外部電源(２)からの電力供給が中断されたときに電力供給を行なうバッテリー(12)と、外部電源(２)からバッテリー(12)への切替を検知する電源切替検知手段(13)とを具え、制御部(11)は、ロケータ起動スイッチ(18)の操作信号を受けて、ロケータ送信部(14)に対してロケータ信号の送信を指令する。
【００１９】
又、テレビジョン受像機本体(１)の制御部(11)は、電源切替検知手段(13)によって外部電源(２)からバッテリー(12)への切替が検知されたときに、ロケータ送信部(14)に対してロケータ信号の送信を指令する。
【００２０】
リモコン装置(９)は、マイクロコンピュータから構成される制御部(91)と、リモコン送信アンテナ(96)へリモコン信号を送信するリモコン送信部(95)と、ロケータ受信アンテナ(93)を通じてロケータ信号を受信するロケータ受信部(94)と、選局操作等を行なうためのリモコン操作キー(92)と、所定の音声を発する音声発生部(97)とを具え、ロケータ受信部(94)によってロケータ信号が受信されると、制御部(91)は音声発生部(97)に音声の発生を指令する。
【００２１】
図２は、上記テレビジョン受像機における制御動作を表わしている。
テレビジョン受像機本体側においては、先ずステップＳ１にてスイッチ入力を監視し、ステップＳ２ではスイッチ入力があったか否かを判断する。ここでノーと判断されたときはステップＳ６に移行して、電源切替制御を実施し、ステップＳ７では、電源切替があったか否かを判断する。ここでノーと判断されたときは、ステップＳ１に戻ってスイッチ入力の監視を繰り返す。
【００２２】
ステップＳ２にてイエスと判断されたときは、ステップＳ３に移行して、入力のあったスイッチがロケータ起動スイッチであるか否かを判断する。
ここでノーと判断されたときはステップＳ５に移行して、スイッチ入力に応じた処理を実行した後、ステップＳ１に戻ってスイッチ入力の監視を繰り返す。
これに対し、イエスと判断されたときはステップＳ４に移行して、ロケータ送信部に対してロケータ信号の送信を指示した後、ステップＳ１に戻る。
【００２３】
又、テレビジョン受像機本体を別の部屋に移動させる際、電源プラグが電源コンセントから抜き出されて、外部電源(２)からバッテリー(12)への電源切替があったときは、ステップＳ７にてイエスと判断される。これによってステップＳ４に移行し、ロケータ送信部に対してロケータ信号の送信を指示した後、ステップＳ１に戻る。
【００２４】
一方、リモコン装置側においては、先ずステップＳ１１にて所定の時間待機した後、ステップＳ１２にてリモコン制御部を起動し、ステップＳ１３では、ロケータ信号の受信を監視する。
続いてステップＳ１４ではロケータ信号を受信したか否かを判断し、ノーと判断されたときはステップＳ１１に戻って同じ処理を繰り返す。
【００２５】
これに対し、テレビジョン受像機本体からリモコン装置へロケータ信号が送信されて、ステップＳ１４にてイエスと判断されたときは、ステップＳ１５に移行して音声発生部に動作を指示する。
次に、ステップＳ１６で音声終了まで待機した後、ステップＳ１１へ戻る。
【００２６】
上記テレビジョン受像機においては、リモコン装置(９)を紛失したとき、ユーザがロケータ起動スイッチ(18)を操作すれば、テレビジョン受像機本体(１)からリモコン装置(９)へロケータ信号が送信されて、該ロケータ信号を受信したリモコン装置(９)の音声発生部(97)が動作することにより、リモコン装置(９)の位置がユーザに報知される。
【００２７】
又、テレビジョン受像機本体(１)を別の部屋に移動させるべく、電源プラグを電源コンセントから抜き出すと、外部電源(２)からバッテリー(12)への電源切替が行なわれると共に、テレビジョン受像機本体(１)からリモコン装置(９)へロケータ信号が送信されて、該ロケータ信号を受信したリモコン装置(９)の音声発生部(97)が動作することにより、リモコン装置(９)の存在と位置がユーザに報知される。
【００２８】
従って、テレビジョン受像機本体(１)のみを移動させて、リモコン装置(９)の移動を失念するという事態は回避され、リモコン装置(９)の紛失を確実に防止することが出来る。
又、テレビジョン受像機本体(１)の画面に表示されるメニューからロケータ機能のオン／オフを設定する構成や、音声発生部(97)による音声発生期間や音量を設定する構成を追加すれば、ロケータ機能の利用をユーザにとって更に容易且つ有意義なものとすることが出来る。
【００２９】
尚、本発明の各部構成は上記実施の形態に限らず、特許請求の範囲に記載の技術的範囲内で種々の変形が可能である。例えば、ロケータ信号受信時のリモコン装置(９)による報知は、音声の発生に限らず、振動の発生や光の発生によって行なうことも可能である。
又、本発明はテレビジョン受像機に限らず、カーナビゲーション装置、オーディオプレーヤ等、種々の可搬型のリモートコントロール機能付き電子機器に実施することが可能である。
【図面の簡単な説明】
【００３０】
【図１】本発明に係るテレビジョン受像機の構成を示すブロック図である。
【図２】本発明に係るテレビジョン受像機の制御動作を表わすフローチャートである。
【図３】従来のテレビジョン受像機の構成を示すブロック図である。
【図４】従来のテレビジョン受像機の制御動作を表わすフローチャートである。
【符号の説明】
【００３１】
(１)  テレビジョン受像機本体
(11)  制御部
(12)  バッテリー
(13)  電源切替検知手段
(15)  ロケータ送信アンテナ
(16)  リモコン受信アンテナ
(18)  ロケータ起動スイッチ
(２)  外部電源
(９)  リモコン装置
(91)  制御部
(93)  ロケータ受信アンテナ
(96)  リモコン送信アンテナ
(97)  音声発生部
【図１】
2008301403.tif 000003
【図２】
2008301403.tif 000004
【図３】
2008301403.tif 000005
【図４】
2008301403.tif 000006